(57)【要約】【課題】視対象の視認性を表す指標を算出することができる指標算出装置及び表示システムを提供すること。【解決手段】指標算出装置３は、輝度取得ユニット１１、１５と、色度取得ユニット１３、１７と、指標算出ユニット１９とを備える。輝度取得ユニットは、視認性の評価対象の輝度Ｙを取得する。色度取得ユニットは、前記評価対象の色度Ｕを取得する。指標算出ユニットは、前記輝度Ｙ、及び前記色度Ｕを用い、以下の式（１）により表される指標Ｖを算出する。式（１）  Ｖ＝ＫＹＵ（前記式（１）におけるＫは定数である）。【選択図】図２
2020144231.tif 000002
【特許請求の範囲】
【請求項１】
視認性の評価対象（２５、２７）の輝度Ｙを取得するように構成された輝度取得ユニット（１１、１５）と、
前記評価対象の色度Ｕを取得するように構成された色度取得ユニット（１３、１７）と、
前記輝度Ｙ、及び前記色度Ｕを用い、以下の式（１）により表される指標Ｖを算出するように構成された指標算出ユニット（１９）と、
を備える指標算出装置（３）。
式（１）  Ｖ＝ＫＹＵ
（前記式（１）におけるＫは定数である。）
【請求項２】
表示装置（５）により表示される視対象（２５）の輝度である第１輝度Ｙ１を取得するように構成された第１輝度取得ユニット（１１）と、
前記視対象の色度である第１色度Ｕ１を取得するように構成された第１色度取得ユニット（１３）と、
前記視対象の背景の輝度である第２輝度Ｙ２を取得するように構成された第２輝度取得ユニット（１５）と、
前記背景の色度である第２色度Ｕ２を取得するように構成された第２色度取得ユニット（１７）と、
前記第１輝度Ｙ１、前記第２輝度Ｙ２、前記第１色度Ｕ１、及び前記第２色度Ｕ２を用い、以下の式（２）により表される指標コントラストＣを算出するように構成された指標コントラスト算出ユニット（１９）と、
を備える指標算出装置（３）。
式（２）  Ｃ＝Ｋ（Ｙ１Ｕ１−Ｙ２Ｕ２）
（前記式（２）におけるＫは定数である。）
【請求項３】
表示装置（５）により表示される視対象（２５）の輝度である第１輝度Ｙ１を取得するように構成された第１輝度取得ユニット（１１）と、
前記視対象の色度である第１色度Ｕ１を取得するように構成された第１色度取得ユニット（１３）と、
前記視対象の背景の輝度である第２輝度Ｙ２を取得するように構成された第２輝度取得ユニット（１５）と、
前記背景の色度である第２色度Ｕ２を取得するように構成された第２色度取得ユニット（１７）と、
前記第１輝度Ｙ１、前記第２輝度Ｙ２、前記第１色度Ｕ１、及び前記第２色度Ｕ２を用い、以下の式（３）により表される指標コントラストＣ、又は、前記指標コントラストＣの逆数を算出するように構成された指標コントラスト算出ユニット（１９）と、
を備える指標算出装置（３）。
式（３）  Ｃ＝（Ｙ１Ｕ１）／（Ｙ２Ｕ２）
【請求項４】
表示装置（５）により表示される視対象（２５）の輝度である第１輝度Ｙ１を取得するように構成された第１輝度取得ユニット（１１）と、
前記視対象の色度である第１色度Ｕ１を取得するように構成された第１色度取得ユニット（１３）と、
前記視対象の背景の輝度である第２輝度Ｙ２を取得するように構成された第２輝度取得ユニット（１５）と、
前記背景の色度である第２色度Ｕ２を取得するように構成された第２色度取得ユニット（１７）と、
前記第１輝度Ｙ１、前記第２輝度Ｙ２、前記第１色度Ｕ１、及び前記第２色度Ｕ２を用い、以下の式（４）により表される指標コントラストＣ、又は、前記指標コントラストＣの逆数を算出するように構成された指標コントラスト算出ユニット（１９）と、
を備える指標算出装置（３）。
式（４）  Ｃ＝［（Ｙ１Ｕ１）−（Ｙ２Ｕ２）］／［（Ｙ１Ｕ１）＋（Ｙ２Ｕ２）］
【請求項５】
表示システム（１）であって、
請求項２〜４のいずれか１項に記載の指標算出装置と、
前記表示装置と、
を備え、
前記表示装置は、前記視対象として文字を表示できるように構成され、
前記表示装置は、前記指標コントラストＣに応じて前記文字の大きさを算出するように構成された大きさ算出ユニット（２１）を備える表示システム。
【請求項６】
請求項５に記載の表示システムであって、
前記表示装置は、色が異なる複数の光源（３７）の光を混色して前記視対象を表示するように構成された表示システム。
【発明の詳細な説明】
【技術分野】
【０００１】
本開示は指標算出装置及び表示システムに関する。
【背景技術】
【０００２】
従来、ヘッドアップディスプレイ（以下、ＨＵＤとする）が知られている。ＨＵＤは特許文献１に開示されている。ＨＵＤは、文字等の視対象を表示することができる。ＨＵＤが表示する視対象の背景は車両の周囲の風景である。
【先行技術文献】
【特許文献】
【０００３】
【特許文献１】特開２０１７−９７７５９号公報
【発明の概要】
【発明が解決しようとする課題】
【０００４】
視対象の視認性は、視対象及び背景の輝度や色度等に応じて変化する。視対象の視認性を確保するために、視対象及び背景の輝度や色度等に応じて、視対象の表示の態様を設定することが考えられる。
【０００５】
視対象の表示の態様を適切に設定するためには、視対象の視認性を表す指標を算出する必要がある。本開示の１つの局面は、視対象の視認性を表す指標を算出することができる指標算出装置及び表示システムを提供することにある。
【課題を解決するための手段】
【０００６】
本開示の１つの局面は、視認性の評価対象（２５、２７）の輝度Ｙを取得するように構成された輝度取得ユニット（１１、１５）と、前記評価対象の色度Ｕを取得するように構成された色度取得ユニット（１３、１７）と、前記輝度Ｙ、及び前記色度Ｕを用い、以下の式（１）により表される指標Ｖを算出するように構成された指標算出ユニット（１９）と、を備える指標算出装置（３）である。
【０００７】
式（１）  Ｖ＝ＫＹＵ
（前記式（１）におけるＫは定数である。）
本開示の１つの局面である指標算出装置は、視対象の視認性を表す指標Ｖを算出することができる。
【０００８】
本開示の別の局面は、表示装置（５）により表示される視対象（２５）の輝度である第１輝度Ｙ１を取得するように構成された第１輝度取得ユニット（１１）と、前記視対象の色度である第１色度Ｕ１を取得するように構成された第１色度取得ユニット（１３）と、前記視対象の背景の輝度である第２輝度Ｙ２を取得するように構成された第２輝度取得ユニット（１５）と、前記背景の色度である第２色度Ｕ２を取得するように構成された第２色度取得ユニット（１７）と、前記第１輝度Ｙ１、前記第２輝度Ｙ２、前記第１色度Ｕ１、及び前記第２色度Ｕ２を用い、以下の式（２）により表される指標コントラストＣを算出するように構成された指標コントラスト算出ユニット（１９）と、を備える指標算出装置（３）である。
【０００９】
式（２）  Ｃ＝Ｋ（Ｙ１Ｕ１−Ｙ２Ｕ２）
（前記式（２）におけるＫは定数である。）
本開示の別の局面である指標算出装置は、視対象の視認性を表す指標コントラストＣを算出することができる。
【００１０】
本開示の別の局面は、表示装置（５）により表示される視対象（２５）の輝度である第１輝度Ｙ１を取得するように構成された第１輝度取得ユニット（１１）と、前記視対象の色度である第１色度Ｕ１を取得するように構成された第１色度取得ユニット（１３）と、前記視対象の背景の輝度である第２輝度Ｙ２を取得するように構成された第２輝度取得ユニット（１５）と、前記背景の色度である第２色度Ｕ２を取得するように構成された第２色度取得ユニット（１７）と、前記第１輝度Ｙ１、前記第２輝度Ｙ２、前記第１色度Ｕ１、及び前記第２色度Ｕ２を用い、以下の式（３）により表される指標コントラストＣ、又は、前記指標コントラストＣの逆数を算出するように構成された指標コントラスト算出ユニット（１９）と、を備える指標算出装置（３）である。
【００１１】
式（３）  Ｃ＝（Ｙ１Ｕ１）／（Ｙ２Ｕ２）
本開示の別の局面である指標算出装置は、視対象の視認性を表す指標コントラストＣを算出することができる。
【００１２】
本開示の別の局面は、表示装置（５）により表示される視対象（２５）の輝度である第１輝度Ｙ１を取得するように構成された第１輝度取得ユニット（１１）と、前記視対象の色度である第１色度Ｕ１を取得するように構成された第１色度取得ユニット（１３）と、前記視対象の背景の輝度である第２輝度Ｙ２を取得するように構成された第２輝度取得ユニット（１５）と、前記背景の色度である第２色度Ｕ２を取得するように構成された第２色度取得ユニット（１７）と、前記第１輝度Ｙ１、前記第２輝度Ｙ２、前記第１色度Ｕ１、及び前記第２色度Ｕ２を用い、以下の式（４）により表される指標コントラストＣ、又は、前記指標コントラストＣの逆数を算出するように構成された指標コントラスト算出ユニット（１９）と、を備える指標算出装置（３）である。
【００１３】
式（４）  Ｃ＝［（Ｙ１Ｕ１）−（Ｙ２Ｕ２）］／［（Ｙ１Ｕ１）＋（Ｙ２Ｕ２）］
本開示の別の局面である指標算出装置は、視対象の視認性を表す指標コントラストＣを算出することができる。
【図面の簡単な説明】
【００１４】
【図１】表示システム１の構成を表すブロック図である。
【図２】指標算出装置３の機能的構成を表すブロック図である。
【図３】制御部３５の機能的構成を表すブロック図である。
【図４】ＨＵＤ５が実行する処理を表すフローチャートである。
【図５】指標算出装置３が実行する処理を表すフローチャートである。
【図６】車室内の視点から見た視対象２５及び背景２７を表す説明図である。
【図７】式（２）により表される指標コントラストＣと、主観最適サイズ及び最小可読サイズとの夜条件における関係を表すグラフである。
【図８】式（２）により表される指標コントラストＣと、主観最適サイズ及び最小可読サイズとの昼条件における関係を表すグラフである。
【図９】式（３）により表される指標コントラストＣと、主観最適サイズ及び最小可読サイズとの夜条件における関係を表すグラフである。
【図１０】式（３）により表される指標コントラストＣと、主観最適サイズ及び最小可読サイズとの昼条件における関係を表すグラフである。
【図１１】式（４）により表される指標コントラストＣと、主観最適サイズ及び最小可読サイズとの夜条件における関係を表すグラフである。
【図１２】式（４）により表される指標コントラストＣと、主観最適サイズ及び最小可読サイズとの昼条件における関係を表すグラフである。
【発明を実施するための形態】
【００１５】
本開示の例示的な実施形態について図面を参照しながら説明する。
＜第１実施形態＞
１．表示システム１の構成
表示システム１の構成を図１〜図３、及び図６に基づき説明する。表示システム１は、例えば、車両に搭載される。図１に示すように、表示システム１は、指標算出装置３と、ＨＵＤ５と、を備える。ＨＵＤ５は表示装置に対応する。
【００１６】
指標算出装置３は、ＣＰＵ７と、例えば、ＲＡＭ又はＲＯＭ等の半導体メモリ（以下、メモリ９とする）と、を有するマイクロコンピュータを備える。
指標算出装置３の各機能は、ＣＰＵ７が非遷移的実体的記録媒体に格納されたプログラムを実行することにより実現される。この例では、メモリ９が、プログラムを格納した非遷移的実体的記録媒体に該当する。また、このプログラムが実行されることで、プログラムに対応する方法が実行される。なお、指標算出装置３は、１つのマイクロコンピュータを備えてもよいし、複数のマイクロコンピュータを備えてもよい。
【００１７】
指標算出装置３は、図２に示すように、第１輝度取得ユニット１１と、第１色度取得ユニット１３と、第２輝度取得ユニット１５と、第２色度取得ユニット１７と、指標コントラスト算出ユニット１９と、大きさ算出ユニット２１と、大きさ出力ユニット２３と、を備える。
【００１８】
なお、第１輝度取得ユニット１１及び第２輝度取得ユニット１５は輝度取得ユニットに対応する。第１色度取得ユニット１３及び第２色度取得ユニット１７は色度取得ユニットに対応する。指標コントラスト算出ユニット１９は指標算出ユニットに対応する。
【００１９】
ＨＵＤ５は、公知のＨＵＤと同様に、図６に示すように、視対象２５を表示することができる。視対象２５とは、ＨＵＤ５が表示する表示物である。車両のドライバは視対象２５を視認することができる。視対象２５の周囲には背景２７が存在する。背景２７は、例えば、車両のドライバの視点からウインドシールド２９を通して見える前方の風景のうち、視対象２５の周囲にある部分である。視対象２５は、例えば、文字を含む。文字には、矢印、丸印、×印等の記号も含まれる。
【００２０】
図１に示すように、ＨＵＤ５は、背景輝度センサ３１と、背景色度センサ３３と、制御部３５と、複数の光源３７と、光学系３９と、を備える。背景輝度センサ３１は、背景２７の輝度である第２輝度Ｙ２を測定するセンサである。
【００２１】
背景色度センサ３３は、背景２７の色度である第２色度Ｕ２を測定するセンサである。第２色度Ｕ２は、ＣＩＥ１９７６ＵＣＳ色度図のｕ’の値である。
制御部３５は、ＣＰＵ４１と、例えば、ＲＡＭ又はＲＯＭ等の半導体メモリ（以下、メモリ４３とする）と、を有するマイクロコンピュータを備える。
【００２２】
制御部３５の各機能は、ＣＰＵ４１が非遷移的実体的記録媒体に格納されたプログラムを実行することにより実現される。この例では、メモリ４３が、プログラムを格納した非遷移的実体的記録媒体に該当する。また、このプログラムが実行されることで、プログラムに対応する方法が実行される。なお、制御部３５は、１つのマイクロコンピュータを備えてもよいし、複数のマイクロコンピュータを備えてもよい。
【００２３】
制御部３５は、図３に示すように、第２輝度測定ユニット４５と、第２色度測定ユニット４７と、第１輝度算出ユニット４９と、第１色度設定ユニット５１と、情報出力ユニット５３と、大きさ取得ユニット５５と、大きさ設定ユニット５７と、視対象表示ユニット５９と、を備える。
【００２４】
複数の光源３７、及び光学系３９は、視対象２５を表示するために使用される。複数の光源３７を構成する各光源は、互いに色が異なる。視対象２５は、複数の光源３７の色を混色して表示されるものである。
【００２５】
２．ＨＵＤ５が実行する処理
ＨＵＤ５が実行する処理を、図４に基づき説明する。ステップ１では、第２輝度測定ユニット４５が、背景輝度センサ３１を用いて、第２輝度Ｙ２を測定する。
【００２６】
ステップ２では、第２色度測定ユニット４７が、背景色度センサ３３を用いて、第２色度Ｕ２を測定する。
ステップ３では、第１輝度算出ユニット４９が第１輝度Ｙ１を算出する。第１輝度Ｙ１は、後述するステップ８で表示する視対象２５の輝度である。
【００２７】
第２輝度Ｙ２と、第１輝度Ｙ１との関係を規定する第１テーブルが予めメモリ４３に記憶されている。第１テーブルが規定する関係は、第２輝度Ｙ２が高いほど、第１輝度Ｙ１が高いという関係である。第１輝度算出ユニット４９は、前記ステップ１で測定した第２輝度Ｙ２を第１テーブルに当てはめることで、第１輝度Ｙ１を算出する。
【００２８】
ステップ４では、第１色度設定ユニット５１が第１色度Ｕ１を設定する。第１色度Ｕ１は、後述するステップ８で表示する視対象２５の色度である。第１色度Ｕ１は、ＣＩＥ１９７６ＵＣＳ色度図のｕ’の値である。第１色度設定ユニット５１は、メモリ４３に記憶されたプログラムを用いて第１色度Ｕ１を設定する。
【００２９】
ステップ５では、情報出力ユニット５３が、情報を指標算出装置３に出力する。出力する情報は、前記ステップ１で測定した第２輝度Ｙ２と、前記ステップ２で測定した第２色度Ｕ２と、前記ステップ３で算出した第１輝度Ｙ１と、前記ステップ４で設定した第１色度Ｕ１とを含む情報である。
【００３０】
ステップ６では、大きさ取得ユニット５５が、指標算出装置３から、文字の大きさを取得する。文字とは、後述するステップ８で表示する視対象２５に含まれる文字である。取得する文字の大きさは、後述するステップ１９において指標算出装置３が出力した文字の大きさである。
【００３１】
ステップ７では、大きさ設定ユニット５７が、文字の大きさを設定する。設定する文字の大きさは、前記ステップ６で取得した文字の大きさである。
ステップ８では、視対象表示ユニット５９が視対象２５を表示する。このとき、視対象表示ユニット５９は、視対象２５に含まれる文字の大きさを、前記ステップ７で設定した文字の大きさとする。また、視対象表示ユニット５９は、視対象２５の輝度を、前記ステップ３で算出した第１輝度Ｙ１とする。また、視対象表示ユニット５９は、視対象２５の色度を、前記ステップ４で設定した第１色度Ｕ１とする。視対象２５に含まれる文字の輝度は第１輝度Ｙ１となる。視対象２５に含まれる文字の色度は第１色度Ｕ１となる。
【００３２】
３．指標算出装置３が実行する処理
指標算出装置３が実行する処理を図５に基づき説明する。ステップ１１では、第１輝度取得ユニット１１が第１輝度Ｙ１を取得する。取得する第１輝度Ｙ１は、前記ステップ５においてＨＵＤ５が出力したものである。
【００３３】
ステップ１２では、第１色度取得ユニット１３が第１色度Ｕ１を取得する。取得する第１色度Ｕ１は、前記ステップ５においてＨＵＤ５が出力したものである。
ステップ１３では、第２輝度取得ユニット１５が第２輝度Ｙ２を取得する。取得する第２輝度Ｙ２は、前記ステップ５においてＨＵＤ５が出力したものである。
【００３４】
ステップ１４では、第２色度取得ユニット１７が第２色度Ｕ２を取得する。取得する第２色度Ｕ２は、前記ステップ５においてＨＵＤ５が出力したものである。
ステップ１５では、指標コントラスト算出ユニット１９が、以下の式（１Ａ）により表される第１指標Ｖ１を算出する。
【００３５】
式（１Ａ）  Ｖ１＝ＫＹ１Ｕ１
式（１Ａ）におけるＶ１は、Ｋと、Ｙ１と、Ｕ１と、を乗算した値である。式（１Ａ）におけるＫは定数である。Ｋは１であってもよいし、１以外の値であってもよい。式（１Ａ）におけるＹ１は、前記ステップ１１で取得した第１輝度Ｙ１である。式（１Ａ）におけるＵ１は、前記ステップ１２で取得した第１色度Ｕ１である。
【００３６】
Ｖ１は、視対象２５の視認性を表す指標Ｖである。視対象２５は視認性の評価対象に対応する。Ｖ１の絶対値が大きいほど、視対象２５の視認性が高い。
ステップ１６では、指標コントラスト算出ユニット１９が、以下の式（１Ｂ）により表される第２指標Ｖ２を算出する。
【００３７】
式（１Ｂ）  Ｖ２＝ＫＹ２Ｕ２
式（１Ｂ）におけるＶ２は、Ｋと、Ｙ２と、Ｕ２と、を乗算した値である。式（１Ｂ）におけるＫは、式（１Ａ）におけるＫと同じである。式（１Ｂ）におけるＹ２は、前記ステップ１３で取得した第２輝度Ｙ２である。式（１Ｂ）におけるＵ２は、前記ステップ１４で取得した第２色度Ｕ２である。
【００３８】
Ｖ２は、背景２７の視認性を表す指標Ｖである。背景２７は視認性の評価対象に対応する。Ｖ２の絶対値が大きいほど、背景２７の視認性が高い。
ステップ１７では、指標コントラスト算出ユニット１９が、前記ステップ１５で算出した第１指標Ｖ１と、前記ステップ１６で算出した第２指標Ｖ２とを用いて、以下の式（２）により表される指標コントラストＣを算出する。
【００３９】
式（２）  Ｃ＝Ｋ（Ｙ１Ｕ１−Ｙ２Ｕ２）
式（２）におけるＫは、式（１Ａ）及び式（１Ｂ）におけるＫと同じである。
ステップ１８では、大きさ算出ユニット２１が文字の大きさを算出する。指標コントラストＣと、文字の大きさとの関係を規定する第２テーブルが予めメモリ９に記憶されている。第２テーブルが規定する関係は、指標コントラストＣの絶対値が小さいほど、文字が大きいという関係である。大きさ算出ユニット２１は、前記ステップ１７で算出した指標コントラストＣを第２テーブルに当てはめることで、文字の大きさを算出する。
【００４０】
ステップ１９では、大きさ出力ユニット２３が、前記ステップ１８で算出した文字の大きさをＨＵＤ５に出力する。
４．表示システム１及び指標算出装置３が奏する効果
（１Ａ）指標算出装置３は、第１指標Ｖ１、及び第２指標Ｖ２を算出することができる。第１指標Ｖ１は、視対象２５の視認性を表す。第１指標Ｖ１の絶対値が大きいほど、視対象２５の視認性が高い。第２指標Ｖ２は、背景２７の視認性を表す。第２指標Ｖ２の絶対値が大きいほど、背景２７の視認性が高い。
【００４１】
（１Ｂ）指標算出装置３は、式（２）により表される指標コントラストＣを算出することができる。この指標コントラストＣは視対象２５の視認性を表す。
式（２）により表される指標コントラストＣが視対象２５の視認性を表すことを、以下の試験により確認した。第２輝度Ｙ２及び第２色度Ｕ２は、夜間の背景２７に対応する一定の値とした。文字を含む視対象２５の第１色度Ｙ１及び第１色度Ｕ１を変化させることで、図７に示すように、複数の指標コントラストＣを実現した。
【００４２】
それぞれの指標コントラストＣにおいて、文字の大きさを様々に変化させた。そして、それぞれの指標コントラストＣにおいて、主観最適サイズと、最小可読サイズとを決定した。主観最適サイズとは、被験者にとって最も見易い文字の大きさである。最小可読サイズとは、被験者が文字を読み取れる範囲内で最小の文字の大きさである。主観最適サイズ及び最小可読サイズは、それぞれ、１９人の被験者における測定値の平均値とした。
【００４３】
次に、決定した主観最適サイズに基づき、指標コントラストＣと主観最適サイズとの関係を規定する近似式を算出した。その近似式におけるＲ２は０．８８０２であり、非常に大きかった。また、決定した最小可読サイズに基づき、指標コントラストＣと最小可読サイズとの関係を規定する近似式を算出した。その近似式におけるＲ２は０．９２５６であり、非常に大きかった。この試験結果から、式（２）により表される指標コントラストＣが視対象２５の視認性を表すことが確認できた。
【００４４】
第２輝度Ｙ２及び第２色度Ｕ２が、昼間の背景２７に対応する一定の値である点を除き、上と同様の試験を行った。試験結果を図８に示す。指標コントラストＣと主観最適サイズとの関係を規定する近似式を算出した。その近似式におけるＲ２は０．８３９７であり、非常に大きかった。また、指標コントラストＣと最小可読サイズとの関係を規定する近似式を算出した。その近似式におけるＲ２は０．９３８７であり、非常に大きかった。この試験結果から、式（２）により表される指標コントラストＣが視対象２５の視認性を表すことが確認できた。
【００４５】
（１Ｃ）表示システム１は、指標コントラストＣに応じて文字の大きさを設定することができる。例えば、指標コントラストＣの絶対値が小さいほど、文字を大きくすることができる。そのため、第１輝度Ｙ１、第１色度Ｕ１、第２輝度Ｙ２、及び第２色度Ｕ２のうちのいずれかが変化した場合でも、視対象２５に含まれる文字の視認性を確保することができる。
＜第２実施形態＞
１．第１実施形態との相違点
第２実施形態は、基本的な構成は第１実施形態と同様であるため、相違点について以下に説明する。なお、第１実施形態と同じ符号は、同一の構成を示すものであって、先行する説明を参照する。
【００４６】
前述した第１実施形態では、式（２）により表される指標コントラストＣを算出した。これに対し、第２実施形態では、式（３）により表される指標コントラストＣを算出する点で、第１実施形態と相違する。
【００４７】
式（３）  Ｃ＝（Ｙ１Ｕ１）／（Ｙ２Ｕ２）
式（３）におけるＹ１Ｕ１は、Ｙ１とＵ１とを乗算した値である。式（３）におけるＹ２Ｕ２は、Ｙ２とＵ２とを乗算した値である。
【００４８】
２．表示システム１及び指標算出装置３が奏する効果
以上詳述した第２実施形態によれば、前述した第１実施形態の効果（１Ａ）、（１Ｃ）を奏し、さらに、以下の効果（２Ａ）を奏する。
【００４９】
（２Ａ）指標算出装置３は、式（３）により表される指標コントラストＣを算出することができる。この指標コントラストＣは視対象２５の視認性を表す。指標コントラストＣの絶対値が大きいほど、視対象２５の視認性が高い。
【００５０】
式（３）により表される指標コントラストＣが視対象２５の視認性を表すことを、第１実施形態と同様の試験により確認した。夜間の背景２７の場合の試験結果を図９に示す。指標コントラストＣと主観最適サイズとの関係を規定する近似式を算出した。その近似式におけるＲ２は０．８３２３であり、非常に大きかった。また、指標コントラストＣと最小可読サイズとの関係を規定する近似式を算出した。その近似式におけるＲ２は０．８８６１であり、非常に大きかった。この試験結果から、式（３）により表される指標コントラストＣが視対象２５の視認性を表すことが確認できた。
【００５１】
昼の背景２７の場合の試験結果を図１０に示す。指標コントラストＣと主観最適サイズとの関係を規定する近似式を算出した。その近似式におけるＲ２は０．７１０４であり、非常に大きかった。また、指標コントラストＣと最小可読サイズとの関係を規定する近似式を算出した。その近似式におけるＲ２は０．８５８２であり、非常に大きかった。この試験結果から、式（３）により表される指標コントラストＣが視対象２５の視認性を表すことが確認できた。
＜第３実施形態＞
１．第１実施形態との相違点
第３実施形態は、基本的な構成は第１実施形態と同様であるため、相違点について以下に説明する。なお、第１実施形態と同じ符号は、同一の構成を示すものであって、先行する説明を参照する。
【００５２】
前述した第１実施形態では、式（２）により表される指標コントラストＣを算出した。これに対し、第３実施形態では、式（４）により表される指標コントラストＣを算出する点で、第１実施形態と相違する。
【００５３】
式（４）  Ｃ＝［（Ｙ１Ｕ１）−（Ｙ２Ｕ２）］／［（Ｙ１Ｕ１）＋（Ｙ２Ｕ２）］
式（４）におけるＹ１Ｕ１は、Ｙ１とＵ１とを乗算した値である。式（４）におけるＹ２Ｕ２は、Ｙ２とＵ２とを乗算した値である。
【００５４】
２．表示システム１及び指標算出装置３が奏する効果
以上詳述した第３実施形態によれば、前述した第１実施形態の効果（１Ａ）、（１Ｃ）を奏し、さらに、以下の効果（３Ａ）を奏する。
【００５５】
（３Ａ）指標算出装置３は、式（４）により表される指標コントラストＣを算出することができる。この指標コントラストＣは視対象２５の視認性を表す。指標コントラストＣの絶対値が大きいほど、視対象２５の視認性が高い。
【００５６】
式（４）により表される指標コントラストＣが視対象２５の視認性を表すことを、第１実施形態と同様の試験により確認した。夜間の背景２７の場合の試験結果を図１１に示す。指標コントラストＣと主観最適サイズとの関係を規定する近似式を算出した。その近似式におけるＲ２は０．８４９７であり、非常に大きかった。また、指標コントラストＣと最小可読サイズとの関係を規定する近似式を算出した。その近似式におけるＲ２は０．８８０８であり、非常に大きかった。この試験結果から、式（４）により表される指標コントラストＣが視対象２５の視認性を表すことが確認できた。
【００５７】
昼の背景２７の場合の試験結果を図１２に示す。指標コントラストＣと主観最適サイズとの関係を規定する近似式を算出した。その近似式におけるＲ２は０．８５２３であり、非常に大きかった。また、指標コントラストＣと最小可読サイズとの関係を規定する近似式を算出した。その近似式におけるＲ２は０．９３６３であり、非常に大きかった。この試験結果から、式（４）により表される指標コントラストＣが視対象２５の視認性を表すことが確認できた。
＜他の実施形態＞
以上、本開示の実施形態について説明したが、本開示は上述の実施形態に限定されることなく、種々変形して実施することができる。
【００５８】
（１）ＨＵＤ５の代わりに他の表示装置を用いてもよい。他の表示装置として、例えば、液晶ディスプレイ、有機ＥＬディスプレイ、プロジェクター等が挙げられる。例えば、視対象２５及び背景２７は、それぞれ、同一の表示装置に表示される表示物であってもよい。
【００５９】
（２）第２実施形態において、式（３）により表される指標コントラストＣの逆数を算出してもよい。指標コントラストＣの逆数の絶対値が大きいほど、視対象２５の視認性は低い。第２実施形態では、指標コントラストＣの逆数に応じて文字の大きさを算出してもよい。例えば、指標コントラストＣの逆数の絶対値が大きいほど、文字を大きくすることができる。
【００６０】
（３）第３実施形態において、式（４）により表される指標コントラストＣの逆数を算出してもよい。指標コントラストＣの逆数の絶対値が大きいほど、視対象２５の視認性は低い。第３実施形態では、指標コントラストＣの逆数に応じて文字の大きさを算出してもよい。例えば、指標コントラストＣの逆数の絶対値が大きいほど、文字を大きくすることができる。
（４）背景輝度センサ３１、及び背景色度センサ３３は、ＨＵＤ５以外の装置が備えていてもよい。例えば、指標算出装置３が背景輝度センサ３１、及び背景色度センサ３３を備えていてもよい。
【００６１】
（５）本開示に記載の指標算出装置３及びその手法は、コンピュータプログラムにより具体化された一つ乃至は複数の機能を実行するようにプログラムされたプロセッサ及びメモリを構成することによって提供された専用コンピュータにより、実現されてもよい。あるいは、本開示に記載の指標算出装置３及びその手法は、一つ以上の専用ハードウェア論理回路によってプロセッサを構成することによって提供された専用コンピュータにより、実現されてもよい。もしくは、本開示に記載の指標算出装置３及びその手法は、一つ乃至は複数の機能を実行するようにプログラムされたプロセッサ及びメモリと一つ以上のハードウェア論理回路によって構成されたプロセッサとの組み合わせにより構成された一つ以上の専用コンピュータにより、実現されてもよい。また、コンピュータプログラムは、コンピュータにより実行されるインストラクションとして、コンピュータ読み取り可能な非遷移有形記録媒体に記憶されてもよい。指標算出装置３に含まれる各部の機能を実現する手法には、必ずしもソフトウェアが含まれている必要はなく、その全部の機能が、一つあるいは複数のハードウェアを用いて実現されてもよい。
【００６２】
（６）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【００６３】
（７）上述した指標算出装置の他、当該指標算出装置を構成要素とするシステム、当該指標算出装置としてコンピュータを機能させるためのプログラム、このプログラムを記録した半導体メモリ等の非遷移的実態的記録媒体、指標算出方法、表示装置の制御方法等、種々の形態で本開示を実現することもできる。
【符号の説明】
【００６４】
１…表示システム、３…指標算出装置、５…ＨＵＤ、１１…第１輝度取得ユニット、１３…第１色度取得ユニット、１５…第２輝度取得ユニット、１７…第２色度取得ユニット、１９…指標コントラスト算出ユニット、２１…大きさ算出ユニット、２５…視対象、２７…背景
【図１】
2020144231.tif 000003
【図２】
2020144231.tif 000004
【図３】
2020144231.tif 000005
【図４】
2020144231.tif 000006
【図５】
2020144231.tif 000007
【図６】
2020144231.tif 000008
【図７】
2020144231.tif 000009
【図８】
2020144231.tif 000010
【図９】
2020144231.tif 000011
【図１０】
2020144231.tif 000012
【図１１】
2020144231.tif 000013
【図１２】
2020144231.tif 000014